(57)【要約】【課題】きのこ栽培瓶の瓶口周囲に下部を巻き付けて瓶口上方にラッパ筒状に起立させる巻紙上端の外周径を、きのこ栽培瓶の瓶胴部の外周径とほぼ一致させることのできる、えのき茸栽培用のきのこ栽培瓶を提供する。【解決手段】きのこ栽培瓶のキャップ係止顎２４よりも下方の、瓶口２２中途部から瓶口２２下部に掛けての瓶口２２部分の外周径を、所定の比率で漸次小径となるように形成する。そして、その漸次小径とした瓶口２２部分周囲に巻紙５０下部を巻き付けて固定し、その巻紙５０を瓶口２２上方にラッパ筒状に起立させる。そして、その瓶口２２上方に起立する巻紙５０上端の外周径が、きのこ栽培瓶２０の瓶胴部の外周径にほぼ一致する状態となるようにする。【選択図】図２
2005046050.tif 000002
【特許請求の範囲】
【請求項１】
きのこ栽培瓶に充填されたえのき茸の菌糸が蔓延した培養済み培地から発芽して、きのこ栽培瓶の瓶口内側を通して、きのこ栽培瓶の瓶口上方に株状に伸長するえのき茸周囲をラッパ筒状に覆って支持する巻紙下部を、きのこ栽培瓶の瓶口周囲に巻き付けて瓶口周囲に固定した状態において、その瓶口上方にラッパ筒状に起立する巻紙上端の外周径が、前記きのこ栽培瓶の瓶胴部の外周径とほぼ一致するように、前記瓶口上端周縁に突設されたキャップ係止顎よりも下方の、瓶口中途部から瓶口下部に掛けての瓶口部分の外周径が所定の比率で漸次小径となるように形成されたことを特徴とする、えのき茸栽培用のきのこ栽培瓶。
【発明の詳細な説明】
【技術分野】
【０００１】
本発明は、えのき茸栽培用の培地を充填するための、きのこ栽培瓶に関する。
【背景技術】
【０００２】
えのき茸の人工栽培においては、一般に、ポリプロピレン製などの広口のきのこ栽培瓶に、おが屑、米ぬか等を混合してなる培地を充填して、その培地に、えのき茸の菌糸を接種している。そして、その培地に、えのき茸の菌糸を蔓延させている。次いで、そのえのき茸の菌糸を蔓延させた培養済み培地から、えのき茸を発芽させている。そして、そのえのき茸を、きのこ栽培瓶の瓶口内側を通して、きのこ栽培瓶の瓶口上方に株状に生育させている。えのき茸をきのこ栽培瓶の瓶口上方に株状に伸長させる際には、その瓶口周囲に巻紙を巻き付けて、その巻紙を瓶口上方にラッパ筒状に起立させている。そして、その瓶口上方にラッパ筒状に起立する巻紙により、きのこ栽培瓶の瓶口上方に株状に伸長させるえのき茸周囲を覆って支持している。そして、その瓶口上方に伸長するえのき茸がきのこ栽培瓶の外側周囲に垂れ下がるのを、防いでいる。
【０００３】
このきのこ栽培瓶を用いたえのき茸の人工栽培においては、従来一般に、図３に示したように、えのき茸１０を栽培中の複数本のきのこ栽培瓶２０を、プラスチック製などの底浅籠状のコンテナ３０内に、縦方向に例えば４本、横方向に例えば４本の、合計１６本縦横に起立させて並べて収容している。複数本のきのこ栽培瓶２０は、その円筒状をした瓶胴部の外側面の一部同士を互に線接触させて、コンテナ３０内で動かぬように隙間少なく並べて収容している。きのこ栽培瓶２０は、その瓶上部をコンテナ３０の上方に突出させた状態で、コンテナ３０内に並べて収容している。
そして、そのコンテナ３０内に収容された１６本等の複数本のきのこ栽培瓶２０を、コンテナ３０と共に、手数を掛けずに纏めて一度に運搬できるようにしている。
【０００４】
このコンテナ３０内に縦横に並べて収容されたきのこ栽培瓶２０に充填された培地４０を用いて栽培中のえのき茸１０を、きのこ栽培瓶の瓶口２２内側を通して、その瓶口２２上方に株状に伸長させる際には、そのえのき茸１０を栽培中のきのこ栽培瓶２０をコンテナ３０内から取り出して、そのきのこ栽培瓶の瓶口２２周囲に、扇帯状をした巻紙５０下部を巻き付けて固定し、その巻紙５０を瓶口２２上方にラッパ筒状に起立させている。きのこ栽培瓶の瓶口２２周囲に巻き付けた巻紙５０下部は、図４に示したように、瓶口２２周囲に弾性リング６０、ゴムバンド等を用いて固定している。弾性リング６０は、図５に示したように、Ｃ字リング状をしていて、その先端開口部から弾性リング６０内側に巻紙５０下部を巻き付けた瓶口２２を圧入できる構造をしている。弾性リング６０後端には、弾性リング６０を手で持つための握り６２が延設されている。
次いで、上記のようにして、瓶口２２周囲に巻紙５０下部を巻き付けて固定し、その巻紙５０を瓶口２２上方にラッパ筒状に起立させた複数本のきのこ栽培瓶２０を、図３に示したように、コンテナ３０内に再び縦横に並べて収容し直している。そして、その瓶口２２上方にラッパ筒状に起立する巻紙内側空間５２で、えのき茸１０を生育し続けている。そして、きのこ栽培瓶の瓶口２２上方に株状に伸長するえのき茸１０周囲を巻紙５０によりラッパ筒状に覆って支持している。そして、その瓶口２２上方に伸長するえのき茸１０が、きのこ栽培瓶２０の外側周囲に垂れ下がるのを、巻紙５０により防いでいる。そして、そのえのき茸１０を巻紙内側空間５２でほぼ真っすぐに株状に上方に伸びた見栄えの良い形状に生育している。
【特許文献１】特開２０００−３０００６７号公報
【発明の開示】
【発明が解決しようとする課題】
【０００５】
しかしながら、従来のえのき茸栽培用のポリプロピレン製などの広口のきのこ栽培瓶において、上記のようにして、その瓶口２２周囲に巻紙５０下部を巻き付けて固定し、その巻紙５０を瓶口２２上方にラッパ筒状に起立させた複数本のきのこ栽培瓶２０をコンテナ３０内に再び縦横に並べて収容し直した際には、図３に示したように、その瓶口２２上方にラッパ筒状に起立する巻紙５０上端の外周径が、きのこ栽培瓶２０の瓶胴部の外周径よりも、小径であるために、同じコンテナ３０内に縦横に並べて収容された隣り合うきのこ栽培瓶の瓶口２２上方にラッパ筒状に起立する巻紙５０の上端周縁同士の一部が、その隣り合うきのこ栽培瓶２０の瓶胴部同士の一部のように、互に接触し合った状態とならずに、その同じコンテナ３０内の隣り合うきのこ栽培瓶の瓶口２２上方にラッパ筒状に起立する巻紙５０の上端周縁の間に、無駄な隙間７０が生じてしまった。そして、その分、そのコンテナ３０内に縦横に並べて収容された複数本のきのこ栽培瓶の瓶口２２上方にラッパ筒状に起立する巻紙内側空間５２の容積が狭いものとなってしまった。そして、その巻紙内側空間５２で生育するえのき茸１０を自由に伸び伸びと大きく生長させることができなかった。
【０００６】
その理由を詳述すると、えのき茸の人工栽培において、瓶口２２周囲に巻紙５０下部を巻き付けて固定し、その巻紙５０を瓶口２２上方にラッパ筒状に起立させた複数本のきのこ栽培瓶２０をコンテナ３０内に縦横に並べて収容し直した際には、図３に示したように、同じコンテナ３０内に縦横に並べて収容された隣り合うきのこ栽培瓶の瓶口２２上方にラッパ筒状に起立する巻紙５０の上端周縁の間に隙間７０が生ぜずに、その隣り合う巻紙５０の上端周縁同士の一部が互に接触し合う状態となるのが、理想である。
なぜならば、きのこ栽培瓶の瓶口２２上方にラッパ筒状に起立する巻紙内側空間５２でえのき茸１０を生育する際には、その瓶口２２上方にラッパ筒状に起立する巻紙内側空間５２の容積ができる限り大きい方が、その巻紙内側空間５２で生育するえのき茸１０を自由に伸び伸びと大きく生長させることができるからである。そのためには、そのきのこ栽培瓶の瓶口２２上方にラッパ筒状に起立させる巻紙５０上端の外周径を出来る限り大きく広げるのが良いからである。
【０００７】
そこで、本発明者は、鋭意研究の結果、上記のように、瓶口２２周囲に巻紙５０下部を巻き付けて固定し、その巻紙５０を瓶口２２上方にラッパ筒状に起立させた複数本のきのこ栽培瓶２０をコンテナ３０内に縦横に並べて収容し直した際に、その同じコンテナ３０内に縦横に並べて収容された隣り合うきのこ栽培瓶の瓶口２２上方にラッパ筒状に起立する巻紙５０の上端周縁の間に隙間７０が生じてしまうのは、そのきこの栽培瓶の瓶口２２上端周縁に突設されたキャップ係止顎２４よりも下方の、瓶口２２中途部から瓶口２２下部に掛けての瓶口２２部分の外周径が、ほぼ均一の一定径に形成されているからであることを、発見した。即ち、従来のきこの栽培瓶では、その瓶口２２上端周縁に突設されたキャップ係止顎２４よりも下方の、きのこ栽培瓶の瓶口２２中途部から瓶口２２下部に掛けての瓶口２２部分の外周径がほぼ均一の一定径に形成されているために、図３に示したように、その瓶口２２周囲に扇帯状をした巻紙５０下部を巻き付けて固定し、その巻紙５０を瓶口２２上方にラッパ筒状に起立させた際に、その瓶口２２上方にラッパ筒状に起立する巻紙５０上部の外周径が、巻紙５０上方に向けて漸次大径ならずに、瓶口２２の外周面形状に倣って、ほぼ均一の一定径に近い状態となってしまうことを、発見した。
ここで、きこの栽培瓶の瓶口２２上端周縁に帯状に突設されたキャップ係止顎２４は、きのこ栽培瓶の瓶口２２上端の開口部を覆う通気性のあるキャップ（図示せず）の外周縁を、瓶口２２上端に容易に離脱しないように係止させるためのものである。えのき茸の人工栽培においては、きのこ栽培瓶２０内の培地４０にえのき茸の菌糸を蔓延させる培養期などに、きのこ栽培瓶の瓶口２２上端の開口部をキャップで覆って、外気中の雑菌がきのこ栽培瓶２０内に侵入するのを防いでいる。従って、えのき茸栽培用のきのこ栽培瓶２０には、その瓶口２２上端周縁に、キャップ係止顎２４を設ける必要がある。
【０００８】
そして、このような課題を解消するためには、きこの栽培瓶の瓶口２２上端周縁に突設されたキャップ係止顎２４よりも下方の、きのこ栽培瓶の瓶口２２部分の外周径を、ほぼ均一の一定径に形成せずに、巻紙５０の丈に合わせて、所定の比率で漸次小径となるように形成すれば良いことに、想到した。そして、そのようなキャップ係止顎２４よりも下方の、きこの栽培瓶の瓶口２２中途部から瓶口２２下部に掛けての瓶口２２部分の外周径が、その下方に行くに従い所定の比率で漸次小径となるように形成された瓶口２２部分周囲に巻紙５０下部を巻き付けて固定し、その巻紙５０を瓶口２２上方に漸次大径となるようにラッパ筒状に起立させれば、その巻紙５０上部の外周径を、きのこ栽培瓶２０の瓶胴部の外周径にほぼ一致させることができることに、想到した。そして、その下方に行くに従い漸次小径となるように形成された瓶口２２部分周囲に巻紙５０下部を巻き付けて固定し、その巻紙５０を瓶口２２上方にラッパ筒状に起立させた複数本のきのこ栽培瓶２０をコンテナ３０内に縦横に並べて収容し直せば、その同じコンテナ３０内に縦横に並べて収容された隣り合うきのこ栽培瓶の瓶口２２上方にラッパ筒状に起立する巻紙５０の上端周縁の一部同士を隙間なく的確に接触させた状態とすることが可能となることに、想到した。そして、その瓶口２２上方にラッパ筒状に起立する広い容積を持つ巻紙内側空間５２でえのき茸１０を自由に伸び伸びと大きく生育可能となることに、想到した。
【０００９】
そして、このような発想に基づいて、きのこ栽培瓶の瓶口２２周囲に巻紙５０下部を巻き付けて固定し、その巻紙５０を瓶口２２上方にラッパ筒状に起立させた複数本のきのこ栽培瓶２０をコンテナ３０内に縦横に並べて収容し直した際に、その同じコンテナ３０内に縦横に並べて収容された隣り合うきのこ栽培瓶の瓶口２２上方にラッパ筒状に起立する巻紙５０の上端周縁の一部同士を隙間なく的確に接触させた状態とすることのできる、えのき茸栽培用のきのこ栽培瓶を開発した。
【００１０】
即ち、本発明は、きのこ栽培瓶の瓶口周囲に巻紙下部を巻き付けて固定し、その巻紙を瓶口上方にラッパ筒状に起立させた複数本のきのこ栽培瓶をコンテナ内に縦横に並べて収容し直した際に、その同じコンテナ内に縦横に並べて収容された隣り合うきのこ栽培瓶の瓶口上方にラッパ筒状に起立する巻紙の上端周縁の一部同士を的確に隙間なく接触させた状態とすることのできる、えのき茸栽培用のきのこ栽培瓶（以下、きのこ栽培瓶という）を提供することを、目的としている。
【課題を解決するための手段】
【００１１】
このような目的を達成するために、本発明のきのこ栽培瓶は、
きのこ栽培瓶に充填されたえのき茸の菌糸が蔓延した培養済み培地から発芽して、きのこ栽培瓶の瓶口内側を通して、きのこ栽培瓶の瓶口上方に株状に伸長するえのき茸周囲をラッパ筒状に覆って支持する巻紙下部を、きのこ栽培瓶の瓶口周囲に巻き付けて瓶口周囲に固定した状態において、その瓶口上方にラッパ筒状に起立する巻紙上端の外周径が、前記きのこ栽培瓶の瓶胴部の外周径とほぼ一致するように、前記瓶口上端周縁に突設されたキャップ係止顎よりも下方の、瓶口中途部から瓶口下部に掛けての瓶口部分の外周径が所定の比率で漸次小径となるように形成されたことを特徴としている。
【発明の効果】
【００１２】
このような構成のきのこ栽培瓶によれば、
きこの栽培瓶の瓶口上端周縁に突設されたキャップ係止顎よりも下方の、きのこ栽培瓶の瓶口中途部から瓶口下部に掛けての瓶口部分の外周径が所定の比率で漸次小径となるように形成されているために、そのキャップ係止顎よりも下方の瓶口中途部から瓶口下部に掛けての瓶口部分の外周径の減少比率を巻紙の丈に合わせて調整することにより、キャップ係止顎よりも下方の、外周径が漸次減少するきのこ栽培瓶の瓶口部分周囲に巻紙下部を巻き付けて固定し、その巻紙を瓶口上方にラッパ筒状に起立させた状態において、その瓶口上方にラッパ筒状に起立する巻紙上端の外周径が、きのこ栽培瓶の瓶胴部の外周径とほぼ一致するように、そのきのこ栽培瓶の瓶口上方にラッパ筒状に起立させる巻紙の外周径を漸次大径とすることができる。
そして、その外周径が所定の比率で漸次減少する瓶口部分周囲に巻紙下部を巻き付けて固定し、その巻紙を瓶口上方にラッパ筒状に起立させた複数本のきのこ栽培瓶をコンテナ内に縦横に並べて収容し直した際に、即ち、その複数本のきのこ栽培瓶の瓶胴部の一部同士を互に線接触させた状態で、その複数本のきのこ栽培瓶をコンテナ内に縦横に並べて収容し直した際に、その同じコンテナ内に縦横に並べて収容された隣り合うきのこ栽培瓶の瓶口上方にラッパ筒状に起立する巻紙の上端周縁の一部同士を互に隙間なく接触させた状態とすることができる。そして、その瓶口上方にラッパ筒状に起立する巻紙上端の外周径を出来得る限り広げて、その巻紙内側空間の容積を出来得る限り広げることができる。そして、その瓶口上方にラッパ筒状に起立する広い容積を持つ巻紙内側空間でえのき茸を自由に伸び伸びと生育することが可能となる。
【発明を実施するための最良の形態】
【００１３】
次に、本発明の実施の形態を図面に従い説明する。
図１と図２は本発明のきのこ栽培瓶の好適な実施の形態を示し、図１はその使用方法を示す一部破断正面図、図２はその使用方法を示す瓶口周辺の拡大正面断面図である。以下に、このきのこ栽培瓶を説明する。
【００１４】
このきのこ栽培瓶においては、
図１に示したように、きのこ栽培瓶の瓶口２２上方に株状に伸長するえのき茸１０周囲をラッパ筒状に覆って支持する巻紙５０下部を、きのこ栽培瓶の瓶口２２上端周縁に突設されたキャップ係止顎２４よりも下方の、きのこ栽培瓶の瓶口２２部分周囲に巻き付けて瓶口２２周囲に弾性リング（図示せず）等により固定した状態において、その瓶口２２上方にラッパ筒状に起立する巻紙５０上端の外周径が、きのこ栽培瓶２０の瓶胴部の外周径とほぼ一致するように、図２に示したように、きこの栽培瓶の瓶口２２上端周縁に突設されたキャップ係止顎２４よりも下方の、きのこ栽培瓶の瓶口２２中途部から瓶口２２下部に掛けての瓶口２２部分の外周径が、所定の比率で漸次小径となるように形成されている。
【００１５】
図１と図２に示したきのこ栽培瓶のその他の構成は、前述の図３に示した従来のきのこ栽培瓶と同様に構成されていて、このきのこ栽培瓶においては、きのこ栽培瓶の瓶口２２上端周縁に突設されたキャップ係止顎２４よりも下方の、きのこ栽培瓶の瓶口２２中途部から瓶口２２下部に掛けての瓶口２２部分の外周径の減少比率を、巻紙５０の丈に合わせて調整することができる。そして、きのこ栽培瓶の瓶口２２上方に株状に伸長するえのき茸１０周囲をラッパ筒状に覆って支持する巻紙５０下部を、キャップ係止顎２４よりも下方の、瓶口２２の外周径が所定の比率で漸次減少するきのこ栽培瓶の瓶口２２部分周囲に巻き付けて瓶口２２周囲に固定した状態において、その瓶口２２上方にラッパ筒状に起立する巻紙５０上端の外周径が、きのこ栽培瓶２０の瓶胴部の外周径とほぼ一致するように、そのきのこ栽培瓶の瓶口２２上方にラッパ筒状に起立する巻紙５０の外周径を漸次大径とすることができる。
そして、その外周径が所定の比率で漸次減少するきのこ栽培瓶の瓶口２２部分周囲に巻紙５０下部を巻き付けて固定し、その巻紙５０を瓶２２上方にラッパ筒状に起立させた複数本のきのこ栽培瓶２０を、図１に示したように、コンテナ３０内に縦横に並べて収容し直した際に、即ち、その複数本のきのこ栽培瓶２０の瓶胴部の一部同士を互に線接触させた状態で、その複数本のきのこ栽培瓶２０をコンテナ３０内に縦横に並べて収容し直した際に、その同じコンテナ３０内に縦横に並べて収容された隣り合うきのこ栽培瓶の瓶口２２上方にラッパ筒状に起立する巻紙５０の上端周縁の一部同士を互に隙間なく的確に接触させた状態とすることができる。そして、その瓶口２２上方にラッパ筒状に起立する巻紙５０上端の外周径を出来得る限り広げて、その巻紙内側空間５２の容積を出来得る限り広げることができる。そして、その瓶口２２上方にラッパ筒状に起立する広い容積を持つ巻紙内側空間５２でえのき茸１０を自由に伸び伸びと生育することが可能となる。
【００１６】
実験によれば、えのき茸１０を瓶口２２上方に１２ｃｍ前後まで伸長させた状態に生育するきのこ栽培瓶に、図１と図２に示したような構成のきのこ栽培瓶２０を用いれば、従来汎用の図３に示したような構成のきのこ栽培瓶２０を用いた場合に比べて、その巻紙内側空間５２で生育するえのき茸１０の収穫量が約２０％前後アップすることが、確認された。
【産業上の利用可能性】
【００１７】
本発明のきのこ栽培瓶は、広口のきのこ栽培瓶に充填された培地を用いて、えのき茸を人工栽培するのに、有効利用可能である。
【図面の簡単な説明】
【００１８】
【図１】本発明のきのこ栽培瓶の使用例を示す一部破断正面図である。
【図２】本発明のきのこ栽培瓶の使用例を示す瓶口周辺の拡大断面図である。
【図３】従来のきのこ栽培瓶の使用例を示す一部破断正面図である。
【図４】従来のきのこ栽培瓶の使用例を示す正面図である。
【図５】弾性リングの平面図である。
【符号の説明】
【００１９】
１０  えのき茸
２０  きのこ栽培瓶
２２  きのこ栽培瓶の瓶口
２４  キャップ係止顎
３０  コンテナ
４０  培地
５０  巻紙
５２  巻紙内側空間
６０  弾性リング
７０  隙間
【図１】
2005046050.tif 000003
【図２】
2005046050.tif 000004
【図３】
2005046050.tif 000005
【図４】
2005046050.tif 000006
【図５】
2005046050.tif 000007